Podtech/llm-jp-corpus-v4-ja_patent huggingface dataset:
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
リポソームを含む医薬組成物であって、前記リポソームが、弱塩基性抗がん化合物及び酸またはその塩を包含し、前記酸が、シュウ酸または酒石酸である、前記医薬組成物。
【請求項２】
前記弱塩基性抗がん化合物が、ドキソルビシン、イリノテカン、ミトキサントロンまたはそれらの２つ以上の組み合わせである、請求項１に記載の医薬組成物。
【請求項３】
前記リポソームが、ポロキサマーを含む、請求項１または２に記載の医薬組成物。
【請求項４】
前記リポソームが、複数の脂質を含み、前記脂質の前記弱塩基性抗がん化合物及び酸またはその塩に対する重量比が、約２０対１〜約５０対１である、請求項１〜３のいずれか一項に記載の医薬組成物。
【請求項５】
前記リポソームが、複数の遊離コレステロール、複数のリン脂質、またはそれらの組み合わせを含む、請求項１〜４のいずれか一項に記載の医薬組成物。
【請求項６】
前記医薬組成物が、複数の遊離コレステロールおよび複数のリン脂質を含み、前記リン脂質の前記遊離コレステロールに対するモル比が、少なくとも０．５対１〜約４対１である、請求項５に記載の医薬組成物。
【請求項７】
前記弱塩基性抗がん化合物が、ｐＨ＜７．４で前記リポソームから実質的に放出される、請求項１〜６のいずれか一項に記載の医薬組成物。
【請求項８】
前記弱塩基性抗がん化合物の少なくとも４０〜８０％が、標準アッセイ条件下、ｐＨ５で前記リポソームから放出され、前記弱塩基性抗がん化合物の少なくとも１０〜５０％が、標準アッセイ条件下、ｐＨ６で前記リポソームから放出され、前記弱塩基性抗がん化合物の少なくとも７〜３０％が、標準アッセイ条件下、ｐＨ６．７で前記リポソームから放出され、または前記弱塩基性抗がん化合物の５％未満が、標準アッセイ条件下、ｐＨ７．４で前記リポソームから放出される、請求項１〜６のいずれか一項に記載の医薬組成物。
【請求項９】
前記リポソームが、複数の弱塩基性抗がん化合物を含み、標準アッセイ条件下で試験した場合、血清または血液中で最大約８時間のインキュベート中、前記複数の弱塩基性抗がん化合物の５０％超を保持する、請求項１〜８のいずれか一項に記載の医薬組成物。
【請求項１０】
前記標準アッセイ条件が、血清または血液での前記リポソームの５０倍希釈及びｐＨ７．４で２、４、または８時間の３７℃でのインキュベートを含む、請求項９に記載の医薬組成物。
【請求項１１】
前記医薬組成物が、動的光散乱によって測定される強度平均粒径によって決定される約４０ｎｍ〜約１００ｎｍの平均最長寸法を有する複数の前記リポソームを含む、または前記医薬組成物が、低温透過型電子顕微鏡によって決定される約１ｎｍ〜約５０ｎｍの平均最長寸法を有する複数の前記リポソームを含む、請求項１〜１０のいずれか一項に記載の医薬組成物。
【請求項１２】
前記リポソームが、約５００μｇ／ｍＬ〜約１０００μｇ／ｍＬの前記弱塩基性抗がん化合物及び酸またはその塩を含む、請求項１〜１１のいずれか一項に記載の医薬組成物。
【請求項１３】
前記リポソームが、約７５０μｇ／ｍＬ〜約８５０μｇ／ｍＬの前記弱塩基性抗がん化合物及び酸またはその塩を含む、請求項１２に記載の医薬組成物。
【請求項１４】
前記リポソームが、複数の前記弱塩基性抗がん化合物を含み、標準保存条件下で２〜８℃で保存した場合、４０日後に前記複数の弱塩基性抗がん化合物の９０％超を保持する、請求項１〜１３のいずれか一項に記載の医薬組成物。
【請求項１５】
アスコルビン酸、Ｎ−アセチルシステイン、アスコルビルパルミテート、ユビキノン、及びエチレンジアミン四酢酸からなる群から選択される化合物を更に含む、請求項１〜１４のいずれか一項に記載の医薬組成物。
【請求項１６】
弱塩基性抗がん化合物及び酸またはその塩を含むリポソームを調製するための方法であって、前記酸が、シュウ酸または酒石酸であり、前記方法が、
弱塩基性抗がん化合物を含む溶液を複数のリポソームを含む懸濁液と混合することであって、前記リポソームの各々が、シュウ酸もしくは酒石酸またはそれらの塩を含む、前記混合すること、
を含む、前記方法。
【請求項１７】
弱塩基性抗がん化合物を含む第１の容器、及び懸濁液を含む第２の容器を含むキットであって、前記懸濁液が、複数のリポソームを含み、前記複数のリポソームの各々が、前記弱塩基性抗がん化合物の酸または塩を含み、前記酸が、シュウ酸または酒石酸である、前記キット。
【請求項１８】
弱塩基性抗がん化合物及び酸またはその塩を含むリポソームを調製するための方法であって、前記酸が、クエン酸であり、前記方法が、
前記弱塩基性抗がん化合物を含む溶液を複数のリポソームを含む懸濁液と混合することであって、前記複数のリポソームの各々が、酸またはその塩を含む、前記混合すること、
を含む、前記方法。
【請求項１９】
リポソームを含む医薬組成物であって、前記リポソームが、弱塩基性抗がん化合物及び酸またはその塩を含み、前記酸が、クエン酸ある、前記医薬組成物。
【請求項２０】
がんを治療するための、請求項１〜１５のいずれか一項に記載の医薬組成物。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
化学蒸着反応器の中にガスを搬送するためのガス循環装置（１）であって、
無線周波数電位（Ｖ５）で分極されながら前記反応器の中に開口する第１の端部（４）と、基準電位（Ｖ０）で電気的に分極された第２の端部（３）とを有する導管（２）を備え、
前記導管は、前記導管に流れる前記ガスと接触するように配置され、且つ電気絶縁部分（１２）によって囲まれるように配置された少なくとも１つの導電性部分（１１）を備え、
前記装置は、前記無線周波数電位と前記基準電位との間の中間電位で前記導管における前記ガスを局所的に分極するように、前記第１の端部と前記第２の端部との間で前記導管（２）に少なくとも１つの決定された電位を局所的に印加するための電位印加手段（１０ａ〜１０ｅ）を更に備えることを特徴とする、装置。
【請求項２】
前記電位印加手段は、前記導管の一部に電位を課すように配置された少なくとも１つの電圧源を備えることを特徴とする、請求項１に記載の装置。
【請求項３】
前記電位印加手段は、２つの端子に従って前記導管の前記第１の端部及び前記第２の端部の電位にそれぞれ電気的に接続された分圧器を備え、前記分圧器は、直列に接続された複数の電気インピーダンスモジュールを備え、２つの連続する電気インピーダンスモジュール間の少なくとも１つの接合部は、前記導管に電気的に接続されていることを特徴とする、請求項１に記載の装置。
【請求項４】
前記装置は、抵抗、インダクタ、コイル、キャパシタという構成要素のうちの少なくとも１つを有する電気インピーダンスモジュールを備えることを特徴とする、請求項３に記載の装置。
【請求項５】
前記導管は、前記導管の断面の形状を有する電気絶縁部分を備えることを特徴とする、請求項１に記載の装置。
【請求項６】
前記導管は、前記導管の断面の形状を有する導電性部分を備えることを特徴とする、請求項１〜５の何れか一項に記載の装置。
【請求項７】
前記導管は、実質的に均一の内側断面を有することを特徴とする、請求項１〜６の何れか一項に記載の装置。
【請求項８】
前記導管は、管断面の形状を有する電気絶縁部分を備えることを特徴とする、請求項１〜７の何れか一項に記載の装置。
【請求項９】
前記導管は、ガス循環のための少なくとも１つの貫通チャンバ（１１０）を有する、導電性材料から作られた部品の形状を有する少なくとも１つの導電性部分を備えることを特徴とする、請求項１〜８の何れか一項に記載の装置。
【請求項１０】
前記貫通チャンバは、前記導電性部分において非直線ガス経路を画定することを特徴とする、請求項９に記載の装置。
【請求項１１】
前記導管は、ガス循環を可能にする複数の開口を有する、導電性材料から作られた部品の形状を有する少なくとも１つの導電性部分を備えることを特徴とする、請求項１〜１０の何れか一項に記載の装置。
【請求項１２】
化学蒸着法を実施するための反応器であって、反応チャンバと少なくとも１つの請求項１〜１１の何れか一項に記載のガス循環装置とを備えることを特徴とする反応器。
【請求項１３】
前記反応器は２つの電極を備え、その第１の電極が無線周波数源に接続され、且つその第２の電極が接地されて、前記第１の電極と前記第２の電極との間の電位差が、前記反応器の中に注入された前記ガスのプラズマを形成することを可能にすることを特徴とする、請求項１２に記載の反応器。
【請求項１４】
化学蒸着反応器にガスを搬送するためのガス循環装置におけるプラズマ形成を防止するための方法であって、前記ガス循環装置は、無線周波数電位（Ｖ５）で分極されながら前記反応器の中に開口する第１の端部と、基準電位（Ｖ０）で電気的に分極された第２の端部とを有する導管を備え、
前記導管は、前記導管に流れる前記ガスと接触するように配置され、且つ電気絶縁部分（１２）によって囲まれるように配置された少なくとも１つの導電性部分（１１）を備え、
前記方法は、前記無線周波数電位と前記基準電位との間の中間電位に前記導管における前記ガスを局所的に分極するように、前記第１の端部と前記第２の端部との間で前記導管に少なくとも１つの決定された電位を局所的に印加するステップを含むことを特徴とする、方法。
【請求項１５】
化学蒸着のための方法であって、前記方法は、請求項１２又は１３に記載の反応器において実施され、請求項１〜１１の何れか一項に記載のガス循環装置を介して、前記反応器の反応チャンバに予め位置決めされた基板の表面における反応のためのガスを注入するステップを含む方法。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
金属基板へのスズ層の被覆方法であって、
（ａ）前記金属基板を提供し、
（ｂ）前記金属基板の少なくとも一つの表面にニッケル／リン合金下層を被覆し、
（ｃ）前記ニッケル／リン合金下層に前記スズ層を被覆する、
ことを備え、
前記スズ層の被覆は、パルスめっき法を用いることを備え、
前記パルスめっき法は、単極性パルスめっき法であり、この単極性パルスめっき法は、それぞれカソードパルス部分およびゼロ電流パルス部分を備えた、連続するパルス時間を備え、
前記カソードパルス部分は、少なくとも０．１秒のカソードパルス幅を有するとともに、少なくとも１０Ａ／ｄｍ2のカソードパルスピーク電流密度を有し、
前記ゼロ電流パルス部分は、少なくとも０．１秒のゼロ電流パルス幅を有しており、
（ｂ１）前記ステップ（ｃ）において前記スズ層を被覆する前に、前記基板の少なくとも一つの表面にニッケル下層を被覆することであって、前記ステップ（ｂ）において前記ニッケル／リン合金下層を被覆する前に、前記ニッケル下層を被覆し、
（ｄ）前記スズ層に銀または銀合金の最上層を被覆する、
ことをさらに備えた、被覆方法。
【請求項２】
前記ニッケル／リン合金下層が、５重量％〜１５重量％のリン含有量のリンを備えることを特徴とする請求項１に記載の被覆方法。
【請求項３】
前記ステップ（ｂ１），（ｂ）が、前記ニッケル下層および前記ニッケル／リン合金下層を備えた二重層を被覆することを備え、前記二重層は、０．０１μｍ〜１０μｍの厚さを有することを特徴とする請求項１または２に記載の被覆方法。
【請求項４】
前記ステップ（ｂ１），（ｂ）が、０．０５μｍ〜５μｍの厚さを有する前記二重層を被覆することを備えることを特徴とする請求項３に記載の被覆方法。
【請求項５】
前記ステップ（ｄ）が、前記銀または銀合金の最上層を０．０１μｍ〜０．５μｍの厚さで被覆することを備えることを特徴とする請求項１に記載の被覆方法。
【請求項６】
前記ステップ（ｃ）が、前記スズ層を０．１μｍ〜１０μｍの厚さで被覆することを備えることを特徴とする請求項１〜５のうちいずれか一項に記載の被覆方法。
【請求項７】
前記カソードパルス部分は、０．１秒〜１０秒のカソード電流パルス幅を有し、前記ゼロ電流パルス部分は、０．１秒〜１０秒のゼロ電流パルス幅を有することを特徴とする請求項１〜６のうちいずれか一項に記載の被覆方法。
【請求項８】
前記単極性パルスめっき法の周波数は、０．０５ｓ-1〜５ｓ-1であることを特徴とする請求項１〜７のうちいずれか一項に記載の被覆方法。
【請求項９】
前記スズ層には、圧力誘起されたウィスカが無いことを特徴とする請求項１〜８のうちいずれか一項に記載の被覆方法。
【請求項１０】
前記スズ層に圧力誘起されたウィスカが無いことが、前記スズ層に所定圧力の機械的応力を所定期間の間、印加することによって判定されることを特徴とする請求項９に記載の被覆方法。
【請求項１１】
前記所定圧力が０．００１Ｎｍ〜１００Ｎｍであり、前記所定期間が１分〜前記めっきされた基板の耐用期間の終了までの範囲に及ぶことを特徴とする請求項１０に記載の被覆方法。
【請求項１２】
金属基板上に被覆されたニッケル／リン合金下層と、圧力誘起によるウィスカの形成を防止するように請求項１〜１１のいずれかに記載の方法によってパルス電気めっきされたスズ層と、を備えた構造の使用。
【請求項１３】
圧力誘起されたウィスカの無いスズ層を有する、電子装置における電子回路の製造のための請求項１〜１１に記載の方法の使用であって、前記スズ層に圧力誘起されたウィスカが無いことが、前記スズ層に所定圧力の機械的応力を所定期間の間、印加することによって判定される、請求項１〜１１に記載の方法の使用。
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
補強要素（４５）であって、組立体（４９）を含み、
前記組立体（４９）は、
・芳香族ポリアミド又は芳香族コポリアミド製のマルチフィラメント・ストランド（４６）と、
・ポリエステル製のマルチフィラメント・ストランド（４８）と、
で構成され、
前記２本のストランド（４６、４８）は、互いにらせん状に巻き付けられ、前記補強要素（４５）は、撚り平衡化され、前記補強要素（４５）の撚り係数Ｋは、５．５から６．５までの範囲であり、Ｋは、式
Ｋ＝（Ｒ×Ｔｉ1/2）／９５７により定義され、
ここでＲは、撚り毎メートルで表された前記補強要素（４５）の撚りであり、Ｔｉは、テックスで表された前記補強要素（４５）の前記マルチフィラメント・ストランドの番手の合計であることを特徴とする、補強要素（４５）。
【請求項２】
前記補強要素（４５）の前記撚り係数Ｋが、値５．５を除外して５．５から６．５まで、好ましくは５．６から６．１、より好ましくは５．９から６．１までの範囲であることを特徴とする、請求項１に記載の補強要素（４５）。
【請求項３】
前記補強要素（４５）の撚りが、２７５から３６５撚り毎メートル、好ましくは２７５から３５０撚り毎メートル、より好ましくは３００から３３０撚り毎メートルの範囲であることを特徴とする、請求項１または請求項２に記載の補強要素（４５）。
【請求項４】
前記補強要素（４５）の初期引張りモジュラスが、５．０から１０．５ｃＮ／テックス、好ましくは５．７から８．５ｃＮ／テックス、より好ましくは６．２から７．８ｃＮ／テックス、さらにより好ましくは６．８から７．５ｃＮ／テックスの範囲であることを特徴とする、請求項１〜請求項３のいずれか一項に記載の補強要素（４５）。
【請求項５】
前記補強要素（４５）の最終引張りモジュラスが、１４．０から２１．５ｃＮ／テックス、好ましくは１５．０から１９．０ｃＮ／テックス、より好ましくは１５．８から１８．５ｃＮ／テックス、さらにより好ましくは１６．６から１７．９ｃＮ／テックスの範囲であることを特徴とする、請求項１〜請求項４のいずれか一項に記載の補強要素（４５）。
【請求項６】
初期モジュラスに対する最終モジュラスの比が、２．１０から２．７５、好ましくは２．１５から２．４５、より好ましくは２．２０から２．４０、さらにより好ましくは２．２５から２．４０の範囲であることを特徴とする、請求項１〜請求項５のいずれか一項に記載の補強要素（４５）。
【請求項７】
エラストマー複合体（３６）であって、エラストマー組成物に埋設された請求項１〜請求項６のいずれかに記載の少なくとも１つの補強要素（４５）を含むことを特徴とする、エラストマー複合体（３６）。
【請求項８】
少なくとも１つのカーカス・プライ（３４）を含むカーカス補強体（３２）を含むタイヤ（１０）であって、前記カーカス・プライ（３４）が、請求項７に記載のエラストマー複合体（３６）から得られることを特徴とする、タイヤ（１０）。
【請求項９】
前記カーカス補強体（３２）は、単一のカーカス・プライ（３４）を含むことを特徴とする請求項８に記載のタイヤ（１０）。
【請求項１０】
ランフラット用に設計された請求項８または請求項９に記載のタイヤ（１０）。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
方法であって、
無線デバイスから同期化信号を送信することであって、前記同期化信号が通信時間スロットを連動するための共通時間基準と時間スロット期間とを含む、前記送信することと、
前記無線デバイスで第１のパケットデータを受信することと、
前記無線デバイスによって、第２のパケットデータを送信する間に前記第１のパケットデータの受信のオーバーラップを識別することと、
前記無線デバイスによって、前記第２のパケットデータを送信する間に前記第１のパケットデータを識別することに応答して通信を中断することと、
を含む、方法。
【請求項２】
請求項１に記載の方法であって、
前記同期化信号がビットパターンを有するデジタルワードを更に含む、方法。
【請求項３】
請求項２に記載の方法であって、
前記同期化信号が前記デジタルワードの後にガード時間を更に含む、方法。
【請求項４】
請求項１に記載の方法であって、
前記第１のパケットデータを受信することが、複数のデータビットと複数の巡回冗長検査（ＣＲＣ）ビットとを受信することを含む、方法。
【請求項５】
請求項１に記載の方法であって、
前記無線デバイスが、遠隔キーレスパッシブエントリーパッシブスタート（ＰＥＰＳ）システムにおいて用いられる、方法。
【請求項６】
請求項１に記載の方法であって、
前記無線デバイスが、無線カーアクセスデバイスである、方法。
【請求項７】
請求項１に記載の方法であって、
前記無線デバイスが、無線ドアロックデバイスである、方法。
【請求項８】
請求項１に記載の方法であって、
前記共通時間基準を用いて前記第１のパケットデータをサンプリングすことを更に含む、方法。
【請求項９】
請求項１に記載の方法であって、
前記無線デバイスが第１の無線デバイスであり、前記方法が、
前記第１の無線デバイスから同期化信号を送信するときに第２の無線デバイスのチェーンシーケンスをトリガーすることであって、前記チェーンシーケンスが前記第１の無線デバイスと第２の無線デバイスとの通信時間スロットを連動する、前記トリガーすることを更に含む、方法。
【請求項１０】
装置であって、
プロセッサと、
命令を格納するメモリであって、実行されるときに前記命令がプロセッサに、
通信時間スロットを連結するための共通時間基準と通信時間スロットとを含む同期化信号を送信し、
第１のパケットデータを受信し、
第２のパケットデータを送信する間に前記第１のパケットデータの第２のパケットデータとの重複を識別し、
前記第１のパケットデータの前記第２のパケットデータとの重複の識別に応答して通信を中断する、
ようにさせる、前記メモリと、
を含む、装置。
【請求項１１】
請求項１０に記載の装置であって、
前記同期化信号がビットパターンを有するデジタルワードを更に含む、装置。
【請求項１２】
請求項１１に記載の装置であって、
前記同期化信号が前記デジタルワードの後にガード時間を更に含む、装置。
【請求項１３】
請求項１０に記載の装置であって、
実行されるときに前記命令が前記プロセッサに、前記第１のパケットデータに対応する複数のデータビットと複数の巡回冗長検査（ＣＲＣ）ビットとを受信するようにさせる、装置。
【請求項１４】
請求項１０に記載の装置であって、
実行されるときに前記命令が前記プロセッサに、前記共通時間基準を利用して前記第１のパケットデータをサンプリングするようにさせる、装置。
【請求項１５】
請求項１０に記載の装置であって、
実行されるときに前記命令が前記プロセッサに、同期化信号を送信するときに２つの装置の通信時間スロットを連動するチェーンシーケンスを前記２つの装置の間でトリガーするようにさせる、装置。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
複数のセンサ（２０，３０，４０，５０）を備える繊維機械（２，３，４，５）の予知保全の方法であって、前記方法は、
ａ）各センサに対する基準値を規定し、前記基準値をデータベース（７）に格納するステップと、
ｂ）前記繊維機械（２，３，４，５）の動作中に各センサ（２０，３０，４０，５０）を読み取るステップと、
ｃ）各センサ（２０，３０，４０，５０）の信号を、格納されている前記基準値と相関させるステップと、
ｄ）１つ又は複数のセンサデータの相関された信号が不規則性を示す場合に、警報又は警告を与えるステップと、
を特徴とする、繊維機械の予知保全の方法。
【請求項２】
前記方法は、各センサ（２０，３０，４０，５０）の前記信号を、格納されている前記基準値と継続的に相関させ、前記センサ（２０，３０，４０，５０）の基準値を再規定することによる自己学習式である、請求項１に記載の方法。
【請求項３】
操作員は警報を処理し、どのような故障が存在していたのか、どのような保全が必要であったのかをシステムにフィードバックする、請求項１又は２に記載の方法。
【請求項４】
センサ（２０，３０，４０，５０）の基準値として、タイムスタンプ、シグネチャ又はパターンが使用される、請求項１から３までのいずれか１項に記載の方法。
【請求項５】
センサ（２０，３０，４０，５０）の基準値としてタイムスタンプが使用され、異なるタイムスタンプは、時間の長さにおいて異なる、請求項１から４までのいずれか１項に記載の方法。
【請求項６】
各センサ（２０，３０，４０，５０）の前記信号を、格納されている前記基準値と相関させる前記ステップは、リアルタイムで行われる、請求項１から５までのいずれか１項に記載の方法。
【請求項７】
繊維機械（２，３，４，５）の複数のセンサ（２０，３０，４０，５０）又は前記繊維機械（２，３，４，５）の１つの部分の複数のセンサ（２０，３０，４０，５０）はハブ（１０）で集結される、請求項１から６までのいずれか１項に記載の方法。
【請求項８】
前記繊維機械（２，３，４，５）の操作員にアラームを発する前記ステップは、どのような保全が行われなければならないかの指示を与えるステップを含む、請求項１から７までのいずれか１項に記載の方法。
【請求項９】
格納されている前記基準値に基づいて、故障しているセンサ（２０，３０，４０，５０）を認識するステップを含む、請求項１から８までのいずれか１項に記載の方法。
【請求項１０】
複数のセンサを備える繊維機械（２，３，４，５）の予知保全のシステムであって、
ａ）物理量を測定する複数のセンサ（２０，３０，４０，５０）を備えるシステムにおいて、
ｂ）各センサ（２０，３０，４０，５０）に対する、格納されている基準値を有するデータベース（７）と、
ｃ）各センサ（２０，３０，４０，５０）の信号を、格納されている前記基準値と相関させるシステムコントロール（６）と、
ｄ）１つのセンサデータ及び相関されたセンサデータが不規則性を示す場合に、前記繊維機械（２，３，４，５）の操作員にアラーム又は警告を表示するディスプレイと、
を備える、
ことを特徴とする、繊維機械の予知保全のシステム。
【請求項１１】
入力部分を備えており、前記入力部分で、アラームを処理する操作員が、どのような故障が存在していたのか、どのような保全が必要であったのか、フィードバックを入力し得る、請求項１０に記載のシステム。
【請求項１２】
センサ（２０，３０，４０，５０）の基準値として、タイムスタンプ、シグネチャ又はパターンが格納されている、請求項１０又は１１に記載のシステム。
【請求項１３】
センサ（２０，３０，４０，５０）の基準値としてタイムスタンプが格納されており、異なるタイムスタンプは、時間の長さにおいて異なる、請求項１０から１２までのいずれか１項に記載のシステム。
【請求項１４】
繊維機械（２，３，４，５）の複数のセンサ（２０，３０，４０，５０）又は前記繊維機械（２，３，４，５）の１つの部分の複数のセンサ（２０，３０，４０，５０）を集結させるためのハブ（１０）を備える、請求項１０から１３までのいずれか１項記載のシステム。
【請求項１５】
繊維機械（２，３，４，５）のシステムコントロール（６）のストレージ（７）に格納され、実行される場合に、請求項１から９までのいずれか１項に記載の方法の１つ又は複数のステップを実行し得るソフトウェアコードを含む、
ことを特徴とするコンピュータプログラム製品。
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
抗体及び細胞毒素を含むシステイン改変抗体−毒素複合体であって、
前記抗体は、システイン挿入位置に挿入されたシステインを含み、前記システイン挿入位置は、ｋａｐｐａ／λ軽鎖定常領域の第２０５位、軽鎖定常領の第２０６、及びＩｇＧ抗体重鎖定常領域の第４３９位から選択される少なくとも１つの部位を含む、ことを特徴とするシステイン改変抗体−毒素複合体。
【請求項２】
前記システイン挿入位置のアミノ酸配列は、
ＬＣ−２０５ｉｎｓ：ＧＬＳＳＰＣＶＴＫＳＦ、ＬＣ−２０６ｉｎｓ：ＧＬＳＳＰＶＣＴＫＳＦ、及びＨＣ−４３９ｉｎｓ：ＴＱＫＳＬＳＣＬＳＰＧＫから選択される少なくとも１つの配列を含み、
前記「−Ｃ−」は、それぞれ目的抗体軽鎖の第２０５位若しくは第２０６位、及び重鎖の第４３９位に挿入されたシステインである、ことを特徴とする請求項１に記載のシステイン改変抗体−毒素複合体。
【請求項３】
前記挿入されたシステインは、チオール基を含み、
前記細胞毒素は、リンカーを介して前記チオール基に結合し、
前記抗体は、ＧＬＳＳＰＣＶＴＫＳＦ及びＧＬＳＳＰＶＣＴＫＳＦから選択されるアミノ酸配列を有する軽鎖を含み、
前記抗体は、アミノ酸配列がＴＱＫＳＬＳＣＬＳＰＧＫである重鎖を含み、
前記Ｃは、前記軽鎖の第２０５位、前記軽鎖の第２０６位、又は前記重鎖の第４３９位に挿入されたシステインである、ことを特徴とする請求項１に記載のシステイン改変抗体−毒素複合体。
【請求項４】
前記抗体の軽鎖は、ｋａｐｐａ（κ）又はｌａｍｂｄａ（λ）アイソタイプを含む、ことを特徴とする請求項１に記載のシステイン改変抗体−毒素複合体。
【請求項５】
前記抗体の重鎖は、ＩｇＧ１、ＩｇＧ２、ＩｇＧ３又はＩｇＧ４アイソタイプを含む、ことを特徴とする請求項１に記載のシステイン改変抗体−毒素複合体。
【請求項６】
前記システインは、チオール基を含む、ことを特徴とする請求項１に記載のシステイン改変抗体−毒素複合体。
【請求項７】
前記チオール基は、前記細胞毒素化学的に結合する、ことを特徴とする請求項６に記載のシステイン改変抗体−毒素複合体。
【請求項８】
前記細胞毒素は、ＭＭＡＥ、ＭＭＡＦ、ＰＢＤ、ＳＮ−３８、Ｄｏｘ又はそれらの誘導体からなる群より選択される、ことを特徴とする請求項１に記載のシステイン改変抗体−毒素複合体。
【請求項９】
以下のステップ１からステップ４を含む請求項１に記載のシステイン改変抗体−毒素複合体の製造方法であって、
ステップ１において、前記抗体を還元剤で還元して還元抗体を提供し、
前記抗体は、マスキングされたチオール基を有する前記挿入されたシステインを含み、前記マスキングされたチオール基は、前記挿入されたシステイン上のチオール基に結合したマスキング基を含み、
前記還元剤による前記抗体の還元は、前記マスキングされたチオール基から前記マスキング基を除去し、前記挿入されたシステイン上の遊離チオール基及び分離されたマスキング基を有する還元抗体を提供することを含み、
陽イオン交換クロマトグラフィー又は限外濾過により前記分離されたマスキング基及び前記還元剤を除去し、
ステップ２において、前記還元抗体を酸化して鎖間ジスルフィド結合を再接続することで、酸化抗体を提供し、
ステップ３において、細胞毒素部分を含むｍｃ−ｖｃ−ＰＡＢ−ｐａｙｌｏａｄと前記酸化抗体とを接触させ、前記挿入されたシステイン上の遊離チオール基と前記細胞毒素部分とを結合することで、前記システイン改変抗体−毒素複合体を提供し、
ステップ４において、陽イオン交換クロマトグラフィー又は限外濾過により結合していないｍｃ−ｖｃ−ＰＡＢ−ｐａｙｌｏａｄを除去する、ことを特徴とする製造方法。
【請求項１０】
前記細胞毒素と前記抗体との比は１．６−２である、ことを特徴とする請求項１に記載のシステイン改変抗体−毒素複合体。
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
慢性炎症を処置、改善又は予防することを必要とする対象において慢性炎症を処置、改善又は予防する剤であって、治療有効量又は予防有効量の肥満細胞安定化化合物を含む、上記剤。
【請求項２】
上記慢性炎症が、上記対象における疾病、障害又は状態に因る、請求項１に記載の剤。
【請求項３】
上記の疾病、障害又は状態が肥満細胞賦活症候群である、請求項２に記載の剤。
【請求項４】
上記の疾病、障害又は状態がぜんそく、結膜炎又は肥満細胞症でない、請求項２に記載の剤。
【請求項５】
上記肥満細胞安定化化合物が、ノルケトチフェン又はその医薬的に許容される塩である、請求項１〜４のいずれか１項に記載の剤。
【請求項６】
請求項１〜５のいずれか１項に記載の剤、及び、追加の治療剤を含む、組成物又はキット。
【請求項７】
上記追加の治療剤が抗炎症剤である、請求項６に記載の組成物又はキット。
【請求項８】
ノルケトチフェン及び医薬的に許容される担体を含む医薬組成物。
【請求項９】
追加の治療剤をさらに含む、請求項８に記載の医薬組成物。
【請求項１０】
請求項８又は９に記載の医薬組成物を含む剤形。
【請求項１１】
上記剤形が持続放出剤形、固体又は液体の経口剤形、鼻腔吸入及び／又は経口吸入用の剤形、静脈内投与用の剤形、経皮又は粘膜での投与用の剤形、注射用の剤形、移植用の剤形、又は眼投与用の剤形である、請求項１０に記載の剤形。
【手続補正２】
【補正対象書類名】明細書
【補正対象項目名】００１２
【補正方法】変更
【補正の内容】
【００１２】
従って、一つの観点として、本発明は、慢性炎症を処置、改善又は予防することを必要とする対象において慢性炎症を処置、改善又は予防する方法であって、該対象に、治療有効量又は予防有効量の肥満細胞安定化化合物を投与することを含み、それによって該慢性炎症状態を処置、改善又は予防する、上記方法を提供する。
また、他の観点として、本発明は、慢性炎症を処置、改善又は予防することを必要とする対象において慢性炎症を処置、改善又は予防する剤であって、治療有効量又は予防有効量の肥満細胞安定化化合物を含む、上記剤を提供する。
さらに、別の他の観点として、本発明は、上記の剤、及び、追加の治療剤を含む、組成物又はキットを提供する。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
アプリケーションを処理する方法であって、前記方法は、
コンピューティングデバイスにおいて、アプリケーションを特定する情報を受信するステップと、
前記コンピューティングデバイスが、前記アプリケーションを特定する前記情報に少なくとも一部基づいて、前記アプリケーションの共通アプリケーションランタイムモデルを生成するステップと、
前記コンピューティングデバイスが、前記アプリケーションの前記共通アプリケーションランタイムモデルを前記アプリケーションの第１のジェネリック表現に変換するステップとを含み、前記アプリケーションの前記第１のジェネリック表現は、複数のターゲットイベント処理システムのうちの第１のターゲットイベント処理システムにおいて実行されるように構成され、前記アプリケーションの前記第１のジェネリック表現は、前記アプリケーションのコンポーネントのランタイム有向非巡回グラフ（ＤＡＧ）を含み、
前記コンピューティングデバイスが、前記アプリケーションの前記第１のジェネリック表現を、前記第１のターゲットイベント処理システムによる実行のために、前記第１のターゲットイベント処理システムに送信するステップを含む、方法。
【請求項２】
前記アプリケーションはコンポーネントのイベント処理ネットワーク（ＥＰＮ）として表現され、前記アプリケーションを特定する前記情報は、ＥＰＮ構成情報、クエリ情報、および前記アプリケーションに対応付けられたルールのうちの少なくとも１つを含む、請求項１に記載の方法。
【請求項３】
前記アプリケーションの共通アプリケーションランタイムモデルを生成するステップは、前記アプリケーションを、１つ以上の構成ブロックのセットとして表すことを含み、各構成ブロックは、メタデータが対応付けられているイベントビーンを表す、請求項１または２に記載の方法。
【請求項４】
前記１つ以上の構成ブロックのセットは、インバウンドソケットイベントビーン、アウトバウンドソケットイベントビーン、連続クエリ言語（ＣＱＬ）プロセッサイベントビーン、または１つ以上のチャネルイベントビーンのうちの少なくとも１つを含む、請求項３に記載の方法。
【請求項５】
前記アプリケーションの前記共通アプリケーションランタイムモデルを前記アプリケーションの第１のジェネリック表現に変換するステップは、前記アプリケーションの前記共通アプリケーションランタイムモデルにおいて表される１つ以上の構成ブロックを、前記アプリケーションのコンポーネントの前記ランタイムＤＡＧに変換することを含む、請求項１〜４のいずれか１項に記載の方法。
【請求項６】
前記コンピューティングデバイスが、前記アプリケーションのコンポーネントの前記ランタイムＤＡＧを、前記第１のターゲットイベント処理システムによる実行のために送信するステップをさらに含み、前記第１のターゲットイベント処理システムは分散イベント処理システムである、請求項５に記載の方法。
【請求項７】
前記コンピューティングデバイスが、前記アプリケーションの前記共通アプリケーションランタイムモデルを、前記複数のターゲットイベント処理システムのうちの第２のターゲットイベント処理システムにおける実行のために、前記アプリケーションの第２のジェネリック表現に変換するステップをさらに含み、前記第２のターゲットイベント処理システムは、前記第１のターゲットイベント処理システムと異なる、請求項１〜６のいずれか１項に記載の方法。
【請求項８】
前記アプリケーションの前記共通アプリケーションランタイムモデルを前記アプリケーションの第２のジェネリック表現に変換するステップは、前記アプリケーションの前記共通アプリケーションランタイムモデルにおいて表される１つ以上の構成ブロックを、前記アプリケーションのターゲット表現に変換することを含む、請求項７に記載の方法。
【請求項９】
前記コンピューティングデバイスが、前記アプリケーションのターゲット表現を、前記第２のターゲットイベント処理システムによる実行のために送信するステップをさらに含み、前記第２のターゲットイベント処理システムはイベントプロセッサシステムを含む、請求項８に記載の方法。
【請求項１０】
１つ以上のプロセッサによって実行されると１つ以上のコンピュータに請求項１から９のいずれか１項に記載の方法を実行させる命令を有するプログラム。
【請求項１１】
イベント処理システムであって、
複数の命令を格納するメモリと、
前記メモリにアクセスするように構成されたプロセッサとを備え、前記プロセッサはさらに、前記複数の命令を実行することにより、少なくとも、
アプリケーションを特定する情報を受信し、
前記アプリケーションを特定する前記情報に少なくとも一部基づいて、前記アプリケーションの共通アプリケーションランタイムモデルを生成し、
前記アプリケーションの前記共通アプリケーションランタイムモデルを前記アプリケーションの第１のジェネリック表現に変換するように構成され、前記アプリケーションの前記第１のジェネリック表現は、複数のターゲットイベント処理システムのうちの第１のターゲットイベント処理システムにおいて実行されるように構成され、前記アプリケーションの前記第１のジェネリック表現は、前記アプリケーションのコンポーネントのランタイム有向非巡回グラフ（ＤＡＧ）を含み、さらに、
前記アプリケーションの前記第１のジェネリック表現を、前記第１のターゲットイベント処理システムによる実行のために、前記第１のターゲットイベント処理システムに送信するように、構成される、イベント処理システム。
【請求項１２】
前記アプリケーションはコンポーネントのイベント処理ネットワーク（ＥＰＮ）として表現され、前記アプリケーションを特定する前記情報は、ＥＰＮ構成情報、クエリ情報、および前記アプリケーションに対応付けられたルールのうちの少なくとも１つを含む、請求項１１に記載のシステム。
【請求項１３】
前記プロセッサは、前記複数の命令を実行することにより、前記アプリケーションを、１つ以上の構成ブロックのセットとして表すことによって、前記アプリケーションの前記共通アプリケーションランタイムモデルを生成するように構成され、各構成ブロックは、メタデータが対応付けられているイベントビーンを表す、請求項１１または１２に記載のシステム。
【請求項１４】
前記１つ以上の構成ブロックのセットは、インバウンドソケットイベントビーン、アウトバウンドソケットイベントビーン、連続クエリ言語（ＣＱＬ）プロセッサイベントビーン、または１つ以上のチャネルイベントビーンのうちの少なくとも１つを含む、請求項１３に記載のシステム。
【請求項１５】
前記プロセッサはさらに、前記複数の命令を実行することにより、前記アプリケーションの前記共通アプリケーションランタイムモデルを、前記複数のターゲットイベント処理システムのうちの第２のターゲットイベント処理システムにおける実行のために、前記アプリケーションの第２のジェネリック表現に変換するように構成され、前記第２のターゲットイベント処理システムは、前記第１のターゲットイベント処理システムと異なる、請求項１１〜１４のいずれか１項に記載のシステム。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
空気をトラップに引き込んで空気試料における検体をトラップ上に充填するように構成されるシステムであって、
流体配管を通して前記トラップに流体的に結合するように構成され、かつ前記空気試料を前記トラップに引き込むように構成されるポンプと、
前記流体配管に流体的に結合され、前記トラップに引き込まれる前記空気試料におけるマスフローを測定するように構成されるマスフローセンサと、
前記ポンプ及び前記マスフローセンサに電気的に結合されるコントローラであって、前記空気試料の選択された体積を前記トラップに引き込むために前記マスフローセンサによるマスフロー測定値から前記ポンプの閉ループ制御をもたらすように構成される、前記コントローラと、を含む、前記システム。
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
生物学的サンプル中のＭＵＣ１６を検出する方法で使用するための、抗ＭＵＣ１６抗体またはその抗原結合断片を含む医薬組成物であって、前記方法は、対象から生物学的サンプルを取得することと、前記生物学的サンプルを抗ＭＵＣ１６抗体またはその抗原結合断片に接触させて、ＭＵＣ１６と前記抗ＭＵＣ１６抗体または抗原結合断片との結合を検出することによって、前記生物学的サンプル中にＭＵＣ１６が存在するかどうか検出することと、を含む、上記医薬組成物。
【請求項２】
前記生物学的サンプルが、血漿、血清、腹水、卵巣、子宮、子宮頸、肝臓、膀胱、膵臓、胃、小腸もしくは大腸、胆嚢、乳房、肺、腎臓、唾液、および涙腺、または任意のそれらの類上皮腫瘍から選択される組織または体液サンプルである、請求項１に記載の医薬組成物。
【請求項３】
前記抗体または抗原結合断片が、配列番号１８９９の残基１３７９１〜１４４５１に対応するヒトＭＵＣ１６の５つの膜近位ＳＥＡドメインのうちの１つ以上のヒトＭＵＣ１６に結合する、請求項１または２に記載の医薬組成物。
【請求項４】
前記抗体または抗原結合断片が、配列番号１８９９の残基１３８１０〜１４４５１のヒトＭＵＣ１６に結合する、請求項１または２に記載の医薬組成物。
【請求項５】
前記抗体または抗原結合断片が、ヒトＭＵＣ１６のＳＥＡ１、ＳＥＡ２、ＳＥＡ３、ＳＥＡ４、ＳＥＡ５、ＳＥＡ６、ＳＥＡ７、ＳＥＡ８、ＳＥＡ９、ＳＥＡ１０、ＳＥＡ１１、ＳＥＡ１２、ＳＥＡ１３、ＳＥＡ１４、ＳＥＡ１５、またはＳＥＡ１６のうちのいずれか１つ以上に結合する、請求項１または２に記載の医薬組成物。
【請求項６】
患者におけるＭＵＣ１６を検出する方法で使用するための、抗ＭＵＣ１６抗体またはその抗原結合断片を含む医薬組成物であって、前記方法は、前記患者から組織サンプルを取得することと、前記組織サンプルを抗ＭＵＣ１６抗体またはその抗原結合断片に接触させて、ＭＵＣ１６と前記抗ＭＵＣ１６抗体または抗原結合断片との結合を検出することによ
って、前記組織サンプル中にＭＵＣ１６が存在するかどうか検出することと、を含む、上記医薬組成物。
【請求項７】
前記抗ＭＵＣ１６抗体または抗原結合断片が、配列番号１８９９の残基１２７８３〜１３４６７のエピトープに特異的である、請求項１〜６のいずれか一項に記載の医薬組成物。
【請求項８】
前記抗ＭＵＣ１６抗体または抗原結合断片が、配列番号２０２／２１０のアミノ酸配列を含むＨＣＶＲ／ＬＣＶＲ対のＣＤＲを含む、請求項７に記載の医薬組成物。
【請求項９】
前記抗ＭＵＣ１６抗体または抗原結合断片が、配列番号１８９９の残基１３８１０〜１４４５１のエピトープに特異的である、請求項１〜６のいずれか一項に記載の医薬組成物。
【請求項１０】
前記抗ＭＵＣ１６抗体または抗原結合断片が、配列番号２５０／１９３６、２５８／２６６、３１４／３２２、および１９４４／１９５２からなる群から選択されるＨＣＶＲ／ＬＣＶＲアミノ酸配列対のＣＤＲを含む、請求項９に記載の医薬組成物。
【請求項１１】
前記方法が、前記組織サンプル中のＭＵＣ１６の存在が検出された場合、前記患者を癌であると診断することをさらに含む、請求項６〜１０のいずれか一項に記載の医薬組成物。
【請求項１２】
患者におけるＭＵＣ１６を検出する方法で使用するための、抗ＭＵＣ１６抗体またはその抗原結合断片を含む医薬組成物であって、前記方法は、前記患者から血漿サンプルを取得することと、前記血漿サンプルを配列番号２０２／２１０のアミノ酸配列を含むＨＣＶＲ／ＬＣＶＲ対のＣＤＲを含む抗ＭＵＣ１６抗体または抗原結合断片と接触させることによって、前記血漿サンプル中にＭＵＣ１６が存在するかどうか検出することと、ＭＵＣ１６と前記抗ＭＵＣ１６抗体または抗原結合断片との結合を検出することと、を含む、上記医薬組成物。
【請求項１３】
前記方法が、前記血漿サンプル中のＭＵＣ１６の存在が検出された場合、前記患者を癌であると診断することをさらに含む、請求項１２に記載の医薬組成物。
【請求項１４】
前記方法が、有効量の抗ＣＤ３×ＭＵＣ１６二重特異性抗体を前記診断された患者に投与することをさらに含む、請求項１１または１３に記載の医薬組成物。
【請求項１５】
前記方法が、抗ＭＵＣ１６抗体またはその抗原結合断片および細胞傷害性薬剤を含む、有効量のＡＤＣを前記診断された患者に投与することをさらに含む、請求項１１または１３に記載の医薬組成物。
【請求項１６】
ＭＵＣ１６に結合する単離された抗体またはその抗原結合断片であって、前記抗体または抗原結合断片が、配列番号２０２／２１０、２５０／１９３６、２５８／２６６、３１４／３２２、および１９４４／１９５２からなる群から選択されるＨＣＶＲ／ＬＣＶＲアミノ酸配列対のＣＤＲを含む、上記単離された抗体またはその抗原結合断片。
【請求項１７】
前記抗体またはその抗原結合断片が、配列番号２０４−２０６−２０８−２１２−２１４−２１６、２５２−２５４−２５６−１９３８−１９４０−１９４２、２６０−２６２−２６４−２６８−２７０−２７２、３１６−３１８−３２０−３２４−３２６−３２８、および１９４６−１９４８−１９５０−１９５４−１９５６−１９５８からなる群から選択される、ＨＣＤＲ１−ＨＣＤＲ２−ＨＣＤＲ３−ＬＣＤＲ１−ＬＣＤＲ２−ＬＣＤＲ
３ドメインをそれぞれ含む、請求項１６に記載の抗体またはその抗原結合断片。
【請求項１８】
前記抗体または抗原結合断片が、２０２／２１０、２５０／１９３６、２５８／２６６、３１４／３２２、および１９４４／１９５２からなる群から選択されるＨＣＶＲ／ＬＣＶＲアミノ酸配列対を含む、請求項１７に記載の抗体またはその抗原結合断片。
【請求項１９】
ヒトＭＵＣ１６（配列番号１８９９）の５つの膜近位ＳＥＡドメインのうちの１つ以上に結合する、単離された抗体またはその抗原結合断片。
【請求項２０】
（ａ）前記抗体または抗原結合断片が、２５℃の表面プラズモン共鳴アッセイで測定される、約５３ｎＭ未満のＫDで結合する；
（ｂ）前記抗体または抗原結合断片が、配列番号１８９９の残基１４２３７〜１４２９０に結合する；
（ｃ）前記抗体または抗原結合断片が、配列番号１８９９の残基１３９３５〜１３９４７に結合する；または
（ｄ）前記抗体または抗原結合断片が、配列番号１８９９の残基１４１６５〜１４１７８に結合する；
請求項１９に記載の抗体または抗原結合断片。
【請求項２１】
前記抗体または抗原結合断片が：
（ａ）配列番号１８／２６のアミノ酸配列を含むＨＣＶＲ／ＬＣＶＲ対のＣＤＲ；
（ｂ）配列番号８２／８５８のアミノ酸配列を含むＨＣＶＲ／ＬＣＶＲ対のＣＤＲ；または
（ｃ）配列番号９８／１７０のアミノ酸配列を含むＨＣＶＲ／ＬＣＶＲ対のＣＤＲ；
を含む、請求項２０に記載の抗体または抗原結合断片。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
パルスジェットを使用して検体とキラルタグとを試料室に注入すること、
前記検体と前記キラルタグとを備える試料から時間ドメイン応答を取得すること、
前記時間ドメイン応答の周波数ドメイン表現を確定すること
を備える方法。
【請求項２】
前記試料室が調整可能な共振キャビティを備える、請求項１記載の方法。
【請求項３】
前記試料室は共振キャビティを備え、前記時間ドメイン応答を取得することは、前記共振キャビティの少なくとも１つのモードを供給源からの順次連なる周波数を用いて電気的に励起することを含む、請求項１に記載の方法。
【請求項４】
前記試料室は共振キャビティを備え、前記時間ドメイン応答を取得することは、前記共振キャビティの複数のモードを同時期に電気的に励起することを含む、請求項１に記載の方法。
【請求項５】
前記時間ドメイン応答を取得することは、マイクロ波周波数範囲、ミリ波範囲、またはテラヘルツ周波数範囲のうちの少なくとも１つの範囲内にある周波数範囲を用いて前記検体と前記キラルタグとを励起することを含む、請求項１に記載の方法。
【請求項６】
前記注入することは、前記試料室が少なくとも部分的に排気されたときに、前記試料室内への前記検体と前記キラルタグとを備える前記試料の膨張をもたらすためにパルスジェットを使用して行われる、請求項１に記載の方法。
【請求項７】
前記キラルタグがラセミ混合物を備える、請求項１に記載の方法。
【請求項８】
前記キラルタグがラセミ同位体標識組成物を備える、請求項１に記載の方法。
【請求項９】
前記キラルタグがエナンチオ濃縮されたものである、請求項１に記載の方法。
【請求項１０】
前記検体と前記キラルタグとが、非共有結合的相互作用による複合体を形成する、請求項１に記載の方法。
【請求項１１】
前記試料室の一部として含まれるパルスジェット入力ポートを使用して、前記検体と前記キラルタグとが組み合わされて注入される、請求項１０に記載の方法。
【請求項１２】
前記試料室は、
第１の測定のために、前記検体と前記キラルタグのラセミ混合物とを備える第１の複合体を提供するための第１のパルスジェット入力ポートと、
第２の測定のために、前記検体と特定のエナンチオ純度を有する非ラセミ形態の前記キラルタグとを備える第２の複合体を提供するための第２のパルスジェット入力ポートとを備える、請求項１１に記載の方法。
【請求項１３】
前記キラルタグが、液相形態の前記キラルタグと不活性ガスとを含む容器を使用して提供される、請求項１０に記載の方法。
【請求項１４】
前記検体が、液相形態または固相形態の前記検体をアブレーションすることによって提供される、請求項１０に記載の方法。
【請求項１５】
検体とキラルタグを備えるラセミ混合物とを含む第１の試料から誘発される第１の応答を電気的に取得すること、
前記検体と特定のエナンチオ純度の形態の前記キラルタグとを含む第２の試料から誘発される第２の応答を電気的に取得することを備え、
前記第１の応答および前記第２の応答が、分子回転共鳴の範囲を電気的に励起することによって誘発される、方法。
【請求項１６】
前記第１の応答に対応するスペクトルと前記第２の応答に対応するスペクトルとを少なくとも部分的に比較することによって、前記検体と前記特定のエナンチオ純度を有する前記キラルタグとの間に形成されたジアステレオマーに対応する前記検体のエナンチオマー過剰率（ｅｅ）値を確定することを備える請求項１５記載の方法。
【請求項１７】
前記第１の試料および前記第２の試料は、調整可能共振キャビティにあり、前記調整可能共振キャビティの一部として含まれる反射器間の距離を調整して前記調整可能共振キャビティの共振周波数を第１の周波数群から第２の周波数群にシフトさせることを備える請求項１５に記載の方法。
【請求項１８】
前記検体と前記キラルタグを備える前記ラセミ混合物とは、試料室の一部として含まれる第１のパルスジェット入力ポートを使用して注入される、請求項１５に記載の方法。
【請求項１９】
前記検体と前記特定のエナンチオ純度を有する前記キラルタグとが、前記試料室の一部として含まれる第２のパルスジェット入力ポートを使用して注入される、請求項１８に記載の方法。
【請求項２０】
共振キャビティを含む試料室と、
前記共振キャビティの少なくとも１つのモードを電気的に励起するために前記試料室に電気的に結合される供給源と、
前記供給源を用いた前記共振キャビティの励起に応答して、前記試料室内の試料から誘発される応答を取得するために前記試料室に電気的に結合される受信機であって、前記試料室から取得した時間ドメイン応答のデジタル表現を提供するためのアナログデジタル変換器を備える前記受信機と、
少なくとも前記受信機が前記試料から誘発される前記応答を受信しているときに前記試料室から前記供給源を分離するためのアイソレータとを備え、
前記試料室が、検体とキラルタグとを受け取るための少なくとも１つの試料導入ポートを含む少なくとも２つの試料導入ポートを備える、装置。
【請求項２１】
前記試料室が少なくとも部分的に排気されるように構成されている、請求項２０に記載の装置。
【請求項２２】
前記少なくとも２つの試料導入ポートが、パルスジェット試料導入ポートを備える、請求項２０に記載の装置。
【請求項２３】
前記少なくとも２つの試料導入ポートは、
第１の測定のために、前記検体と前記キラルタグのラセミ混合物とを備える第１の複合体を提供するための第１の入力ポートと、
第２の測定のために、前記検体と特定のエナンチオ純度を有する非ラセミ形態の前記キラルタグとを備える第２の複合体を提供するための第２の入力ポートとを備える、請求項２２に記載の装置。
【請求項２４】
前記少なくとも１つのモードに対応する周波数範囲は、マイクロ波周波数範囲、ミリ波範囲、またはテラヘルツ周波数範囲のうちの少なくとも１つの範囲内にある、請求項２０に記載の装置。
【請求項２５】
前記共振キャビティが調整可能な共振キャビティを備える、請求項２０に記載の装置。
【請求項２６】
前記アイソレータがスイッチを備える、請求項２０に記載の装置。
【請求項２７】
前記アイソレータが、前記供給源と前記試料室との間に結合されて前記試料室から前記供給源へ伝播するシグナルを減衰または抑制するように構成されるマイクロ波アイソレータを備える、請求項２０に記載の装置。